(57)【要約】【課題】色分離素子を用いる映像表示装置において、部品点数を増加させずに色分離性を確保できる技術の提供。【解決手段】ダイクロイックミラー等の色分離素子の端部を支持する保持部の構成を、該色分離素子の色分離面の光軸に対する傾きを変えられる構成とする。また、色分離素子の端部を支持する保持部と、該色分離素子で色分離された色光を反射し表示素子側に向ける反射ミラーの端部を支持する保持部とをそれぞれ、該色分離素子の色分離面と該反射ミラーの反射面の光軸に対する傾き角を互いの平行性を保った範囲で変えられる構成とする。【選択図】  図１
2004317951.tif 000002
【特許請求の範囲】
【請求項１】
光源側からの光を色分離して表示素子に照射し映像信号に応じた光学像を形成する映像表示装置であって、
色分離面の波長選択性により入射光を反射光と透過光に分けて色分離する色分離素子と、
光軸に対する上記色分離面の傾き角を変え上記波長選択性を調整する波長選択性調整手段と、
を備え、上記光源側からの光を色分離する構成を特徴とする映像表示装置。
【請求項２】
光源側からの光を色分離して表示素子に照射し映像信号に応じた光学像を形成する映像表示装置であって、
色分離面の波長選択性により入射光を色分離する色分離素子と、
該色分離された色光を反射する反射ミラーと、
上記色分離素子の色分離面の光軸に対する傾き角を、該色分離面の反射角側の位置を支点にして変え上記波長選択性を調整する波長選択性調整手段と、
上記反射ミラーの反射面の上記光軸に対する傾き角を、該反射面の入射角側の位置を支点にして変える反射面調整手段と、
を備え、上記光源側からの光を上記色分離素子で色分離し、該色分離した色光を上記反射ミラーで反射し対応する上記表示素子に照射する構成としたことを特徴とする映像表示装置。
【請求項３】
光源側からの光を色分離して表示素子に照射し映像信号に応じた光学像を形成する映像表示装置であって、
上記光源側からの光の偏光方向を揃え所定の偏光光を形成する偏光変換素子と、
色分離面の波長選択性により、入射される上記偏光光から赤色光を色分離する第１のダイクロイックミラーと、
該色分離された赤色偏光光を反射する全反射ミラーと、
上記第１のダイクロイックミラーの色分離面の光軸に対する傾き角を、該色分離面の反射角側の位置を支点にして変え上記赤色偏光光の波長選択性を調整する波長選択性調整手段と、
上記全反射ミラーの反射面の上記光軸に対する傾き角を、該反射面の入射角側の位置を支点にして変える反射面調整手段と、
色分離面の波長選択性により、入射される偏光光を緑色光と青色光に色分離する第２のダイクロイックミラーと、
を備え、傾き角を調整した上記第１のダイクロイックミラーで色分離した赤色偏光光を、傾き角を調整した上記全反射ミラーで反射し対応する赤色光用表示素子に照射するとともに、上記第２のダイクロイックミラーで色分離した緑色偏光光及び青色偏光光をそれぞれ、緑色光用表示素子、青色光用表示素子に照射する構成としたことを特徴とする映像表示装置。
【請求項４】
上記波長選択性調整手段と上記反射面調整手段はそれぞれ、上記第１のダイクロイックミラー、上記全反射ミラーのそれぞれの端部を保持する溝部を備え、上記それぞれの支点の反対側の端部を保持する溝部として、上記それぞれの傾き角の変化に対応した複数の各位置に溝が設けられた構成である請求項３に記載の映像表示装置。
【請求項５】
上記波長選択性調整手段と上記反射面調整手段はそれぞれ、上記第１のダイクロイックミラーの色分離面と上記全反射ミラーの反射面とを互いに平行にする範囲において上記傾き角を調整する構成である請求項３に記載の映像表示装置。
【請求項６】
上記波長選択性調整手段と上記反射面調整手段はそれぞれ、上記第１のダイクロイックミラーの色分離面の傾き角と、上記全反射ミラーの反射面の傾き角のそれぞれを、約±２゜の範囲内で調整する構成である請求項３に記載の映像表示装置。
【請求項７】
光源側からの光を色分離して表示素子に照射し映像信号に応じた光学像を形成する映像表示装置における色分離性調整方法であって、
光源側からの光の偏光変換で得られた白色の偏光光を、入射光軸に対し色分離面を約４５゜傾けたダイクロイックミラーに入射させ、赤色光を分離することで該ダイクロイックミラーのカット波長を検出するステップと、
該検出の結果、上記カット波長が所定範囲内にないとき、上記ダイクロイックミラーの色分離面と、上記分離された赤色偏光光を反射するミラーであって入射光軸に対し反射面を約４５゜傾けたミラーの反射面とを、互いに平行にする範囲でそれぞれを上記約４５゜の位置から傾け、上記カット波長を所定範囲内にするステップと、
を経て、表示素子に照射する偏光光の色分離性を調整することを特徴とする映像表示装置における色分離性調整方法。
【発明の詳細な説明】
【０００１】
【発明の属する技術分野】
本発明は、液晶パネル等の表示素子を用い映像信号に応じた光学像を形成する映像表示装置に関する。
【０００２】
【従来の技術】
従来の映像表示装置としては、例えば図９に示す構成の液晶プロジェクタがある。
図９において、光源１から放射される光は、放物面等で形成されたリフレクタ２で反射されて光軸に平行にされ、第１のアレイレンズ３、第２のアレイレンズ４を経て偏光変換素子５に入射される。該偏光変換素子５では偏光変換されて偏光方向を揃えられ所定の偏光光が形成される。該偏光変換素子５から出射された白色の偏光光は、集光レンズ６で集束された後、ダイクロイックミラー１０に入射され、その色分離面により、赤色光（赤色帯域光）が反射されて色分離される。該色分離された赤色光は全反射ミラー１２で反射され、コンデンサレンズ８Ｒを経て赤色光用の液晶パネル７Ｒに照射される。一方、上記ダイクロイックミラー１０の色分離面を透過した偏光光は、ダイクロイックミラー１１に入射され、その色分離面により、緑色光（緑色帯域光）は反射され、青色光（青色帯域光）は透過されて、それぞれの色光（帯域光）に分離される。色分離された緑色光は、コンデンサレンズ８Ｇを経て緑色光用の液晶パネル７Ｇに照射され、同じく色分離された青色光は、リレーレンズ１５、全反射ミラー１３、リレーレンズ１６、全反射ミラー１４、コンデンサレンズ８Ｂを経て青色光用の液晶パネル７Ｂに照射される。各液晶パネル７Ｒ、７Ｇ、７Ｂに照射された各色光の偏光光は、該各液晶パネル７Ｒ、７Ｇ、７Ｂにおいて映像信号に応じて画素毎に変調され、出射される。該出射された変調色光は、色合成ダイクロイックプリズム１７で色合成された後、映像光として投射レンズユニット９からスクリーン（図示なし）に拡大投射される。上記において、ダイクロイックミラー１０、全反射ミラー１２、全反射ミラー１３、１４はそれぞれ、光軸に対し、色分離面及び反射面を固定的に約４５゜傾斜させてある。
【０００３】
上記構成においては、赤色光の色純度、照度は、光源のスペクトルとダイクロイックミラー１０の分光透過率（反射率）との積のＴ５０％波長で決まり、緑色光の色純度、照度は、光源のスペクトルとダイクロイックミラー１０の分光透過率とダイクロイックミラー１１の分光透過率（反射率）との積のＴ５０％波長で決まり、青色光の色純度、照度は、光源のスペクトルとダイクロイックミラー１０の分光透過率とダイクロイックミラー１１の分光透過率との積のＴ５０％波長で決まる。従って、光源のスペクトルが一定の場合は、各色光の色純度はダイクロイックミラーの分光透過率によって決まることになる。このため、色分離面のダイクロイックコートの分光透過率が、製造誤差などに起因してばらつくと、各色の色純度、照度もばらつくことになる。例えば、ダイクロイックミラー１０のカット波長を５８５×１０−９ｍ、ダイクロイックミラー１１のカット波長を５００×１０−９ｍとする（図１０）と、緑色光は５００〜５８５×１０−９ｍ、赤色光は５８５×１０−９ｍ以上となる（図１１）。ダイクロイックミラー１０のカット波長が±５×１０−９ｍばらついた場合には、緑色光、赤色光とも、１０×１０−９ｍの幅でばらついて、それぞれ、緑、赤の色純度がばらつく。
【０００４】
上記各色光の色純度のばらつきを抑える従来技術としては、例えば、特開平５−３４１２２７号公報（特許文献１）に記載されたものがある。該公報には、ダイクロイックミラーの後に補正プリズムを設け、該補正プリズムによりダイクロイックミラーの光軸に対する角度を調整し、選択波長を公差内にする構成が記載されている。
【０００５】
【特許文献１】
特開平５−３４１２２７号公報
【０００６】
【発明が解決しようとする課題】
上記図１の対策技術としての上記公報記載の従来技術では、ダイクロイックミラーの後に補正プリズムを設ける必要があるため、部品点数増加や組立て作業の複雑化などによる生産コストの増大や、光束量低下による明るさの低減などにつながるおそれがある。
本発明の課題点は、上記従来技術の状況に鑑み、部品点数を増加させずにダイクロイックミラーの色分離性（波長選択性）を確保できるようにすることである。
本発明の目的は、かかる課題点を解決できる技術の提供にある。
【０００７】
【課題を解決するための手段】
上記課題点を解決するために、本発明では、基本的に、映像表示装置において、ダイクロイックミラー等の色分離素子の端部を支持する保持部の構成を、該色分離素子の色分離面の光軸に対する傾きを変えられる構成とする。また、ダイクロイックミラー等の色分離素子の端部を支持する保持部と、該色分離素子で色分離された色光を反射し表示素子側に向ける反射ミラーの端部を支持する保持部とをそれぞれ、該色分離素子の色分離面と該反射ミラーの反射面の光軸に対する傾き角を互いの平行性を保った範囲で変えられる構成とする。
【０００８】
【発明の実施の形態】
以下、本発明の実施例につき、図面を用いて説明する。
図１〜図８は、本発明の実施例の説明図である。図１は、本発明の映像表示装置の一実施例としての液晶プロジェクタの構成例図、図２は、ダイクロイックミラーのカット波長の該ダイクロイックミラーの傾き角への依存性を説明する図、図３は、ダイクロイックミラーのカット波長が短波長側にばらついたときの該ダイクロイックミラーと全反射ミラーの傾き調整の説明図、図４は、ダイクロイックミラーのカット波長が長波長側にばらついたときの該ダイクロイックミラーと全反射ミラーの傾き調整の説明図、図５は、ダイクロイックミラーと全反射ミラーの傾き調整による光軸ずれの説明図、図６は、ダイクロイックミラーと全反射ミラーを含む光学系部品それぞれの保持構成を示す図、図７は、ダイクロイックミラーのカット波長が短波長側にばらついたときの該ダイクロイックミラーと全反射ミラーの保持構成の説明図、図８は、ダイクロイックミラーのカット波長が長波長側にばらついたときの該ダイクロイックミラーと全反射ミラーの保持構成の説明図である。本実施例の映像表示装置は、ダイクロイックミラーの色分離面と全反射ミラーの反射面それぞれの、光軸に対する傾き角を調整可能な構成としている点で、上記図９の従来構成と異なる。
【０００９】
図１において、１は光源、２はリフレクタ、３は、複数の微小なレンズセルより成り複数の２次光源像を形成する第１のアレイレンズ、４は、同じく複数の微小なレンズセルより成り上記第１のアレイレンズ３の個々のレンズ像を結像する第２のアレイレンズ、５は、偏光ビームスプリッタ（図示なし）と１／２波長位相差板（図示なし）から構成され、上記第２のアレイレンズ４側からの光をＰ偏光光とＳ偏光光に分離した後、該両偏光光のうちいずれか一方の偏光方向を回転してＰ、Ｓいずれかの偏光光に揃えて出射する偏光変換素子、６は集光レンズ、１０、１１は色分離用のダイクロイックミラー、８Ｒ、８Ｇ、８Ｂはコンデンサレンズ、１２、１３、１４は全反射ミラー、１５、１６はリレーレンズ、７Ｒ、７Ｇ、７Ｂは表示素子としての透過型液晶パネル、１７は色合成用のダイクロイックプリズム（色合成ダイクロイックプリズム）、９は映像光を拡大投射するための投射レンズユニットである。液晶パネル７Ｒ、７Ｇ、７Ｂはそれぞれ、映像信号に基づき駆動回路（図示なし）により駆動され、入射された偏光光を変調して出射する。また、リレ−レンズ１５、１６は、液晶パネル７Ｂの、光源１側からの光路長が、液晶パネル７Ｒ、７Ｇの場合に比べて長いのを補うために設けられる。
【００１０】
かかる構成において、上記光源１側から出た光（白色光）は、上記第１のアレイレンズ３で複数の２次光源像を形成した後、上記第２のアレイレンズ４で該複数の２次光源像を結像し、該結像光が、上記偏光変換素子５内で、偏光ビームスプリッタ（図示なし）でＰ偏光光とＳ偏光光とに分離され、１／２波長位相差板（図示なし）により、例えば該Ｐ偏光光が偏光方向を回転されてＳ偏光光とされ、上記偏光ビームスプリッタで分離されたＳ偏光光と併せ、集光レンズ６に入射される。集光レンズ６で集光された白色光のＳ偏光光は、ダイクロイックミラー１０に約４５゜の入射角で入射する。ダイクロイックミラー１０の色分離面では、赤色光のＳ偏光光は反射され、緑色光及び青色光のＳ偏光光は透過される。
【００１１】
上記反射された赤色光のＳ偏光光は全反射ミラー１２で反射されて光路変更し、コンデンサレンズ８Ｒを介して赤色光用の透過型液晶パネル７Ｒに照射される。該液晶パネル７Ｒでは、該赤色光のＳ偏光光が透過時に映像信号に基づいて変調され、赤色光のＰ偏光光となって出射される。液晶パネル７Ｒから出射された赤色光のＰ偏光光は、色合成ダイクロイックプリズム１７に入射される。該色合成ダイクロイックプリズム１７では、その色分離面で反射され、投射レンズユニット９に入る。
【００１２】
一方、ダイクロイックミラー１０を透過した緑色光及び青色光のＳ偏光光は、さらに、ダイクロイックミラー１１に約４５゜の入射角で入射し、該ダイクロイックミラー１１で、緑色光のＳ偏光光は反射され、青色光のＳ偏光光は透過される。反射された緑色光のＳ偏光光は、コンデンサレンズ８Ｇを介して緑色光用の透過型液晶パネル７Ｇに入射される。
該緑色光のＳ偏光光は、緑色光用の透過型液晶パネル７Ｇに照射される。該液晶パネル７Ｇでは、該緑色光のＳ偏光光が透過時に映像信号に基づいて変調され、緑色光のＰ偏光光となって出射される。液晶パネル７Ｇから出射された緑色光のＰ偏光光は、色合成ダイクロイックプリズム１７に入射される。該緑色光のＰ偏光光は、色合成ダイクロイックプリズム１７内において色分離面で反射され、投射レンズユニット９に入る。
【００１３】
また、上記ダイクロイックミラー１１を透過した青色光のＳ偏光光は、リレーレンズ１５を経て全反射ミラー１３で反射され、さらにリレーレンズ１６を経て全反射ミラー１４で反射され、コンデンサレンズ８Ｂを介して青色光用の透過型液晶パネル７Ｂに入射される。該液晶パネル７Ｂでは、該青色光のＳ偏光光が透過時に映像信号に基づいて変調され、青色光のＰ偏光光となって出射される。液晶パネル７Ｂから出射された青色光のＰ偏光光は、色合成ダイクロイックプリズム１７に入射される。該ダイクロイックプリズム１７内において該青色光のＰ偏光光はダイクロイック面で反射され、投射レンズユニット９に入る。
すなわち、上記のように、色合成ダイクロイックプリズム１７からは、映像信号により変調された赤色光のＰ偏光光と、緑色光のＰ偏光光と、青色光のＰ偏光光とが互いに色合成された状態で出射され、白色光のＰ偏光光として投射レンズユニット９に入り、該投射レンズユニット９によりスクリーン上に映像光として拡大投射される。
【００１４】
図１の構成において、ダイクロイックミラー１０の端部を支持する保持部と、全反射ミラー１２の端部を支持する保持部とはそれぞれ、該ダイクロイックミラー１０の色分離面の光軸に対する傾き角と該全反射ミラー１２の反射面の光軸に対する傾き角を、該色分離面と該反射面とが互いの平行性を保った範囲で変えられるようになっている。ダイクロイックミラー１０の色分離面の光軸に対する傾き角を、該色分離面の反射角側の位置を支点にして変えることで、赤色偏光光の色分離性すなわち波長選択性を調整してカット波長のばらつきの影響を抑え、赤色光の色純度を向上させる。また、全反射ミラー１２の反射面の光軸に対する傾き角を、該反射面の入射角側の位置を支点にして変えることで、上記ダイクロイックミラー１０の色分離面の光軸に対する傾き角の変化に起因して生ずる全反射ミラー１２の反射光の光路ずれを抑える。ダイクロイックミラー１１によっても同様にカット波長のばらつきの影響が生じるが、該ダイクロイックミラー１１で色分離する緑色・青色光のカット波長（通常５００〜５２０×１０−９ｍ）は、光源のピーク波長（４４０×１０−９ｍ、５５０×１０−９ｍ、５７５×１０−９ｍ）からはかけ離れているため、該緑色・青色光のカット波長のばらつきは、色度、照度に与える影響は小さくかつ無視可能なレベルである。
【００１５】
図２は、上記図１におけるダイクロイックミラー１０のカット波長の、該ダイクロイックミラー１０の傾き角への依存性を説明する図である。ダイクロイックミラー１０のカット波長は、光線の入射角度によって異なり、１゜あたり１〜２×１０−９ｍ程度の感度がある。ダイクロイックミラー１０の法線と光線のなす角が小さいときはカット波長が長波長側にシフトし、ダイクロイックミラーの法線と光線のなす角が大きいときはカット波長が短波長側にシフトする。そこで、ダイクロイックミラーのカット波長が製造誤差のため設計値より短波長側にばらついたときは、ダイクロイックミラーの法線と光軸のなす角を小さくすることで、カット波長を長波長側にシフトさせ、設計値に近いカット波長を得ることができる。また、設計値より長波長側にばらついたときは、ダイクロイックミラーの法線と光軸のなす角を大きくすることで、カット波長を短波長側にシフトさせ、設計値に近いカット波長を得ることができる。
【００１６】
図３は、ダイクロイックミラーのカット波長が短波長側にばらついたときの該ダイクロイックミラーと全反射ミラーの傾き調整の説明図である。ダイクロイックミラー１０のカット波長が設計値より短波長側にばらついた場合は、図３のように、ダイクロイックミラー１０を、その色分離面の反射角側の位置Ａを支点として入射光軸に対し４５゜傾いた位置からα゜回転させ、該ダイクロイックミラー１０の法線と該光軸との成す角を縮小することで、カット波長を長波長側にシフトさせ、設計値に近いカット波長を得る。その際、ダイクロイックミラー１０の透過光である青色光、緑色光の光軸は変化しないが、反射光である赤色光は光軸が変化する。このため、全反射ミラー１２を、その反射面の入射角側の位置Ｂを支点としてダイクロイックミラー１０の回転方向と同じ方向に角度α゜だけ回転させ、ダイクロイックミラー１０（正確にはダイクロイックミラー１０の色分離面）と全反射ミラー１２（正確には全反射ミラー１２の反射面）とを平行にする。これにより、全反射ミラー１２通過後の赤色光の光軸を回転前の光軸と平行にすることができる。
【００１７】
図４は、ダイクロイックミラーのカット波長が長波長側にばらついたときの該ダイクロイックミラーと全反射ミラーの傾き調整の説明図である。ダイクロイックミラー１０のカット波長が長波長側にばらついたときは、図４のように、その色分離面の反射角側の位置Ａを支点として、ダイクロイックミラー１０を入射光軸に対して４５゜傾い位置からα゜だけ回転させ、ダイクロイックミラー１０の法線と該光軸と成す角を増大させることで、カット波長を短波長側にシフトさせ、設計値に近いカット波長を得る。全反射ミラー１２は、その反射面の入射角側の位置Ｂを支点として該反射面をダイクロイックミラー１０の回転方向と同じ方向にα゜だけ回転させ、ダイクロイックミラー１０（正確にはダイクロイックミラー１０の色分離面）と全反射ミラー１２（正確には全反射ミラー１２の反射面）とを平行にする。これにより、全反射ミラー１２通過後の赤色光の光軸を回転前の光軸と平行にすることができる。ダイクロイックミラー１０では支点Ａ、全反射ミラー１２では支点Ｂの回りに回転させて傾き調整を行うことにより、傾き調整後の光軸を調整前の光軸とほぼ平行にでき、かつ位置ずれ（光軸ずれ）量も実用上支障ない範囲にできる。
図５は、ダイクロイックミラーと全反射ミラーの傾き調整による光軸ずれの説明図であって、傾き調整前と調整後における全反射ミラー１２通過後の赤色光の光軸のずれ量δの算定結果を示す。
ダイクロイックミラー１０の幅をＸ、全反射ミラー１２の幅をＹ、傾き調整前の該各ミラーの光軸とのそれぞれの交点間の距離をＬ、調整による回転角をα゜とすると、ずれ量δは次の数１で表すことができる。
【００１８】
δ＝｛Ｌ・ｔａｎ２α−（Ｘ／２）・ｓｉｎα／ｓｉｎ（π／４−α）−（Ｙ／２）・ｓｉｎα／ｓｉｎ（π／４−α）｝・ｃｏｓ２α      …（数１）
上記図２でも説明した通り、ダイクロイックミラーのカット波長の角度依存性は傾き角度１°につき１〜２×１０−９ｍ程度である。このため、例えばダイクロイックミラーのカット波長の、製造誤差等によるばらつきが±４×１０−９ｍ程度あった場合には、±２°の傾き調整範囲があればカット波長の該ばらつきをほぼ補正することが可能となる。例えば、Ｘ＝６６×１０−３ｍ、Ｙ＝４４×１０−３ｍ、Ｌ＝５０×１０−３ｍとすると、α＝２゜のとき、δ＝０．５×１０−３ｍ、α＝−２゜のとき、δ＝−０．７×１０−３ｍとなり、角度調整による光軸ずれを１×１０−３ｍ以内とすることができる。通常、液晶パネル等の表示素子における照射エリアは、表示素子の有効範囲に対して左右１×１０−３ｍ程度のマージンをとっている。このため、δが１×１０−３ｍ以下であれば、表示素子における照射エリアは有効範囲をはずれない。
【００１９】
図６は、ダイクロイックミラーと全反射ミラーを含む光学系部品それぞれの保持構成を示す図で、投射型映像表示装置の光学系を収納した光学ユニットケースの断面図、図７は、ダイクロイックミラーのカット波長が短波長側にばらついたときの該ダイクロイックミラーと全反射ミラーの保持構成の説明図、図８は、ダイクロイックミラーのカット波長が長波長側にばらついたときの該ダイクロイックミラーと全反射ミラーの保持構成の説明図である。
【００２０】
図６、図７及び図８において、１００ａ、１００ｂは、ダイクロイックミラー１０の端部を、該端部が挿入された状態で保持し、かつその色分離面の傾きを変え、該ダイクロイックミラー１０の色分離性（波長選択性）を調整する波長選択性調整手段としての保持部であって、１００ａは支点Ａ側の保持部、１００ｂは支点Ａと反対側の保持部である。また、１２０ａ、１２０ｂは、全反射ミラー１２の端部を、該端部が挿入された状態で保持し、かつその反射面の傾きを調整する反射面調整手段としての保持部であって、１２０ａは支点Ｂ側の保持部、１２０ｂは支点Ｂと反対側の保持部である。保持部１００ａ、１２０ａはそれぞれ、１個の溝を有し、保持部１００ｂ、１２０ｂはそれぞれ、傾き調整用の３個の溝を有する。かかる構成において、装置の調整段階において、例えば、ダイクロイックミラー１０のカット波長が設計値近傍の値であることが検出された場合は、ダイクロイックミラー１０の端部を、保持部１００ａ側の１個の溝と保持部１００ｂ側の溝Ａ２に挿入し、全反射ミラー１２の端部を、保持部１２０ａ側の１個の溝と保持部１２０ｂ側の溝Ｂ２に挿入する。また、例えば、ダイクロイックミラー１０のカット波長が設計値より短波長であることが検出された場合には、ダイクロイックミラー１０の端部を、保持部１００ａ側の１個の溝と保持部１００ｂ側の溝Ａ１に挿入し、全反射ミラー１２の端部を、保持部１２０ａ側の１個の溝と保持部１２０ｂ側の溝Ｂ１に挿入する。また、例えば、ダイクロイックミラー１０のカット波長が設計値より長波長であることが検出された場合には、ダイクロイックミラー１０の端部を、保持部１００ａ側の１個の溝と保持部１００ｂ側の溝Ａ３に挿入し、全反射ミラー１２の端部を、保持部１２０ａ側の１個の溝と保持部１２０ｂ側の溝Ｂ３に挿入する。図６〜図８の構成例では、傾き調整用の溝数を３個としたが、本発明はこれに限定されず、例えば、さらに該溝数を増やして調整幅を増大させ、カット波長のばらつきが大きい場合にも対応できるようにしてもよい。
【００２１】
上記実施例によれば、映像表示装置としての液晶プロジェクタにおいて、部品点数を増加させずにかつ光路の光軸のずれなどを抑えた状態で、ダイクロイックミラーの色分離性（波長選択性）を確保することができる。光路中に新たな光学部品を追加しない構成のため、光束量の低下を招かず明るさを低下させずに済む。また、ダイクロイックミラー及び全反射ミラーの組み込み及び傾き調整の作業が容易となり、この点からの低コスト化も可能となる。
【００２２】
なお、上記実施例では、映像表示装置として液晶プロジェクタの場合につき説明したが、本発明はこれに限定されず、他の映像表示装置も含む。また、上記実施例では、ダイクロイックミラー１０と全反射ミラー１２の一方の端部側を支点にして回転させ、色分離面と反射面の傾き調整を行う構成としたが、本発明はこれに限定されず、この他、例えば、ダイクロイックミラー１０と全反射ミラー１２の中点部またはその近傍などを支点として回転させてもよい。この場合には、ダイクロイックミラー１０と全反射ミラー１２それぞれの端部を保持する保持部としては、例えば図６の構成における保持部１００ａ、１００ｂ、１２０ａ、１２０ｂのそれぞれを、複数の調整用溝を有する構成とする。
【００２３】
【発明の効果】
本発明によれば、映像表示装置において、部品点数を増加させずに色分離素子の色分離性（波長選択性）を確保することができる。
【図面の簡単な説明】
【図１】本発明の映像表示装置の一実施例を示す図である。
【図２】図１の構成におけるダイクロイックミラーのカット波長の、該ダイクロイックミラー傾き角への依存性を説明する図である。
【図３】ダイクロイックミラーのカット波長が短波長側にばらついたときの該ダイクロイックミラーと全反射ミラーの傾き調整の説明図である。
【図４】ダイクロイックミラーのカット波長が長波長側にばらついたときの該ダイクロイックミラーと全反射ミラーの傾き調整の説明図である。
【図５】ダイクロイックミラーと全反射ミラーの傾き調整による光軸ずれの説明図である。
【図６】ダイクロイックミラーと全反射ミラーを含む光学系部品の保持構成を示す図である。
【図７】ダイクロイックミラーのカット波長が短波長側にばらついたときの該ダイクロイックミラーと全反射ミラーの保持構成の説明図である。
【図８】ダイクロイックミラーのカット波長が長波長側にばらついたときの該ダイクロイックミラーと全反射ミラーの保持構成の説明図である。
【図９】従来の映像表示装置の構成例を示す図である。
【図１０】ダイクロイックミラーのカット波長の説明図である。
【図１１】ダイクロイックミラーにおける各色光の分光透過率の説明図である。
【符号の説明】
１…光源、  ２…リフレクタ、  ３…第１のアレイレンズ、  ４…第２のアレイレンズ、  ５…偏光変換素子、  ６…集光レンズ、  ７Ｒ、７Ｇ、７Ｂ…表示素子、  ８Ｒ、８Ｇ、８Ｂ…コンデンサレンズ、  ９…投射レンズユニット、  １０、１１…ダイクロイックミラー、  １２、１３、１４…全反射ミラー、  １５、１６…リレーレンズ、  １７…色合成ダイクロイックプリズム、  １００ａ、１００ｂ、１２０ａ、１２０ｂ…保持部。
【図１】
2004317951.tif 000003
【図２】
2004317951.tif 000004
【図３】
2004317951.tif 000005
【図４】
2004317951.tif 000006
【図５】
2004317951.tif 000007
【図６】
2004317951.tif 000008
【図７】
2004317951.tif 000009
【図８】
2004317951.tif 000010
【図９】
2004317951.tif 000011
【図１０】
2004317951.tif 000012
【図１１】
2004317951.tif 000013